(57)【要約】【課題】従来、酸素を浴室に供給して、快適な入浴を楽しもうとした場合、ジェットバスシステム等の大掛かりなシステムが必要であるという課題を有していた。【解決手段】ポンプ１８により浴槽２１の湯を循環する追い焚き循環回路２０と、前記浴槽２１に設けた追い焚きアダプタ２２と、高濃度の酸素を供給する酸素富化装置２６と、前記酸素富化装置２６からの高濃度の酸素を前記追い焚きアダプタ２２の近傍に混入させる混入手段２７とを有し、前記追焚きアダプタ２２の噴出口２２ａより循環水と一緒に高濃度の酸素を噴出させる構成としてある。【選択図】  図１
2004350932.tif 000002
【特許請求の範囲】
【請求項１】
ポンプにより浴槽の湯を循環する追い焚き循環回路と、前記浴槽に設けた追い焚きアダプタと、高濃度の酸素を供給する酸素富化装置と、前記酸素富化装置からの高濃度の酸素を前記追い焚きアダプタの近傍に混入させる混入手段とを有し、前記追焚きアダプタの噴出口より循環水と一緒に高濃度の酸素を噴出させる構成とした酸素富化給湯装置。
【請求項２】
混入手段として、追い焚き循環回路に絞り部を設け、前記絞り部により生ずる負圧によって高濃度の酸素を混入させる構成とした請求項１記載の酸素富化給湯装置。
【請求項３】
酸素富化装置は、加圧または減圧手段により薄い膜の間に空気を通過させることによって酸素濃度を高める構成とした請求項１記載の酸素富化給湯装置。
【請求項４】
酸素富化装置は、減圧手段により薄い膜の間に空気を通過させることによって酸素濃度を高める構成とし、減圧手段として用いられる真空ポンプを薄い膜の下流側に配置した請求項３記載の酸素富化給湯装置。
【請求項５】
混入手段として、酸素富化膜用ポンプによる加圧または減圧手段の圧力を利用して、追い焚き循環回路に高濃度の酸素を混入させる構成とした請求項１記載の酸素富化給湯装置。
【請求項６】
酸素富化膜用ポンプによる加圧または減圧手段の代りに、追い焚き循環回路に絞り部を設け、これにより生ずる負圧によって薄い膜の間に空気を通過させる構成とした請求項５記載の酸素富化給湯装置。
【発明の詳細な説明】
【０００１】
【発明の属する技術分野】
本発明は追焚き循環回路を有する給湯器の追焚き配管を利用して、浴槽内の浴水中に酸素を供給する機能を有する給湯装置に関するものである。
【０００２】
【従来の技術】
従来、この種の酸素供給装置は図５に示すように、ジェットバス等の浴槽１に浴槽水を循環させる管路２に気体を供給する供給部３を設け、この供給部３に酸素富化空気を供給するための酸素富化装置７を設けることで、循環ポンプ８により吸入口４から吸入した浴槽水を循環させ、その途中で酸素富化装置７より供給される気体を混入させて吐出口５より浴槽１内に供給するようにしている（例えば特許文献１参照）。
【０００３】
【特許文献１】
特開平４−２３４７号公報
【０００４】
【発明が解決しようとする課題】
しかしながら、上記従来の構成では、ジェット配管の管路の途中に酸素供給部を設け、この供給部に酸素富化空気を供給するものであるため、酸素を浴槽に供給するためには、ジェットバスのシステムを有することが必要であり、簡単に家庭に設置できるものではなかった。また、ジェットバスの流量が大きいため、電気代や騒音等の関連で長時間使用することが難しく、十分な酸素を供給することもできないという課題を有していた。
【０００５】
本発明は上記従来の課題を解決するもので、殆どの家庭で設置している、ポンプにより浴槽の湯が循環する追い焚き循環回路を有する給湯機の前記追焚き循環回路に、酸素富化装置からの高濃度の酸素を混入させ、浴槽に取り付けられている追焚きアダプタより噴出させる構成とすることで安価に取りつけでき、かつ循環流量も少ないので、長時間の酸素供給も可能な装置を提供することを目的とする。
【０００６】
【発明を解決するための手段】
上記従来の課題を解決するため本発明の酸素富化給湯装置は、ポンプにより浴槽の湯を循環する追い焚き循環回路と、前記浴槽に設けた追い焚きアダプタと、高濃度の酸素を供給する酸素富化装置と、前記酸素富化装置からの高濃度の酸素を前記追い焚きアダプタの噴出口近傍に混入させる混入手段とを有し、前記追焚きアダプタの噴出口より循環水と一緒に高濃度の酸素を噴出させる構成としたものである。
【０００７】
上記発明によれば、常に使用する追焚き装置の追焚きアダプタ近傍に酸素富化装置を追加するだけで、より高濃度の酸素を簡単に得ることができるようになる。
【０００８】
【発明の実施の形態】
請求項１に記載の発明は、ポンプにより浴槽の湯を循環する追い焚き循環回路と、前記浴槽に設けた追い焚きアダプタと、高濃度の酸素を供給する酸素富化装置と、前記酸素富化装置からの高濃度の酸素を前記追い焚きアダプタの噴出口近傍に混入させる混入手段とを有し、前記追焚きアダプタの噴出口より循環水と一緒に高濃度の酸素を噴出させる構成としたことを特徴とするものであり、この構成により、混入手段によって酸素富化装置からの高濃度の酸素は追焚き配管の中の湯または水に混入され、この酸素が混入された湯または水が浴槽に取りつけた追焚きアダプタから噴出するときに、高濃度の酸素が気泡となって浴槽水の中を通過し、その後浴室内に充満するようになる。その結果、入浴中の人が高濃度の酸素を吸いながら湯につかることで、温浴効果を促進したり、居眠りを防止したりできる。また、浴槽水の中に酸素が溶け込むことにより雑菌の発生を抑え、ぬめりや臭いを減少させる効果も期待できる。また、この構成ならば、酸素冨化装置を給湯器外部に設置することが出来るので、追い焚き機能を有する風呂器システムに設置が可能である。
【０００９】
請求項２に記載の発明は、酸素富化装置の追い焚き循環回路に絞り部を設け、前記絞り部により生ずる負圧によって高濃度の酸素を混入させる構成としたもので、多量の気泡を噴出させることができ、ジェットバスに近い効果も得られるものである。
【００１０】
請求項３に記載の発明は、酸素富化装置を加圧または減圧手段により薄い膜の間に空気を通過させることによって酸素濃度を高める構成としたもので、簡単な構成で安定した性能を得られるものである。
【００１１】
請求項４に記載の発明は、酸素富化装置の減圧手段として用いられる真空ポンプを薄い膜の下流側に配置した構成にしたもので、酸素富化装置の薄い膜がフィルターの役目をし、真空ポンプにごみが詰まる恐れが無くなるものである。
【００１２】
請求項５に記載の発明は、混入手段として、酸素富化膜用ポンプによる加圧または減圧手段の圧力を利用して、追い焚き循環回路に高濃度の酸素を混入させる構成としたもので、空気の吸込み量は減少するが、絞りを設ける必要がないので流量の減少を防げるものである。
【００１３】
請求項６に記載の発明は、酸素富化膜用ポンプによる加圧または減圧手段の代りに、追い焚き循環回路に絞り部を設け、これにより生ずる負圧によって薄い膜の間に空気を通過させる構成にしたもので、空気の吸込み量は減少するが、構造が簡単になるものである。
【００１４】
【実施例】
図１は、本発明の第１の実施例における酸素富化給湯装置の全体構成図を示すものである。９は給湯装置本体、１０は熱交換器１２を加熱するバーナ、１１はバーナ１２に燃焼空気を送るバーナファン、１３は燃焼空気の排気口、１４は給湯回路で、給湯入口１５から入った水が熱交換器１２で加熱されて給湯出口１６を経由してカラン１７等から吐出される。１８は、追焚き循環回路２０に設けられた風呂ポンプで、浴槽２１から出た循環水はパイプ１９を通りながら熱交換器１２で加熱された後、追い焚き循環回路２０を通り、追い焚きアダプタ２２近辺にある混入手段２７で酸素富化空気を混入し、噴出ノズル２２ａより噴出させる。給湯装置外に酸素冨化装置の設置が可能であるので、追い焚き機能を有するあらゆる給湯装置システムに組み込むことが可能である。
【００１５】
図３は混入手段２７として、エゼクターのような循環水に対する絞り２７ａを設けて空気を吸引する構成を示す。この場合、流れに負圧を発生させて酸素富化空気を混入させれば多量の空気を入れることができ、効果が大きい。また、循環水に対する絞りを用いないで、そのまま真空ポンプの圧力で混入することも可能であり、この場合は効果はやや小さくなるが、絞り部構成は不用であり、構成は簡単になる。
【００１６】
ここで、加熱された後で酸素富化空気を混入するのは、加熱される以前に混入すると、熱交換器通過中に異常音が発生したり、熱交換器の腐食を促進したりする恐れがあるからである。
【００１７】
図２は酸素富化空気を混入手段２７より取り込む構成の詳細図で、２３は酸素富化膜、２４は空気を減圧して酸素富化膜の間に空気を通し、高酸素濃度の空気を得るための真空ポンプ、２５は酸素富化膜に新鮮空気を送るための送風ファンであり、この２３、２４、２５の３つで酸素富化装置２６を構成している。この真空ポンプ２４は酸素富化膜の下流側に配置されているので、酸素富化装置の薄い膜がフィルターの役目をし、真空ポンプにごみが詰まる恐れが無く真空ポンプ用のフィルターは不要である。
【００１８】
以上のように構成された酸素富化給湯装置について、以下その動作・作用を説明する。
【００１９】
混入手段２７によって酸素富化装置２６からの高濃度の酸素は追焚き回路２０の中の湯または水に混入され、この酸素が混入された湯または水が浴槽２１に取りつけた追焚きアダプタ２２の噴出ノズル２２ａから噴出するときに、高濃度の酸素が気泡２８となって浴槽水の中を通過し、その後浴室内に充満するようになる。この結果、入浴中の人が高濃度の酸素を吸いながら湯につかることで、温浴効果を促進したり、居眠りを防止したりできる。また、浴槽水の中に酸素が溶け込むことにより雑菌の発生を抑え、ぬめりや臭いを減少させる効果も期待できる。
【００２０】
また、図３に示すように、空気供給手段として、エゼクタの絞り部により生ずる負圧を利用して、酸素富化膜２３から高濃度の酸素を混入させる構成とすることで、混入空気の量は減少するが、真空ポンプ２４が不要となり、可動部が不要なため非常に簡単な構成にすることが可能となる。
【００２１】
また、図４に酸素富化膜の一例を示す。フレーム３１の表面に薄い膜３２を貼りつけ、新鮮空気３３を、加圧または減圧手段により薄い膜３２の間を通過させることによって酸素濃度を高めた空気３４として取り出す構成としたもので、これにより簡単な構成で安定した性能を得られるものである。３５は酸素を取り出した後の、残った空気であり、これを大気中に放出する。
【００２２】
【発明の効果】
以上のように本発明によれば、入浴中の人が高濃度の酸素を吸いながら湯につかることで、温浴効果を促進したり、居眠りを防止したりできる。また、浴槽水の中に酸素が溶け込むことにより雑菌の発生を抑え、ぬめりや臭いを減少させる効果も期待できる。そして、この構成であれば、追い焚き機能付き給湯機であれば、そのシステムに、安価に組み込むことが可能であるため、一般の家庭への設置も可能となるものである。
【図面の簡単な説明】
【図１】本発明の実施例１における酸素富化給湯装置の全体構成図
【図２】同酸素富化給湯装置の要部詳細図
【図３】同酸素富化給湯装置の絞り部分の図
【図４】同酸素冨化給湯装置の冨化膜の部分を示す図
【図５】従来の気体供給機能付き給湯装置の構成図
【符号の説明】
１８  ポンプ
２０  追焚き循環回路
２１  浴槽
２２  追焚きアダプタ
２２ａ噴出ノズル（噴出口）
２６  酸素富化装置
２７  混入手段
【図１】
2004350932.tif 000003
【図２】
2004350932.tif 000004
【図３】
2004350932.tif 000005
【図４】
2004350932.tif 000006
【図５】
2004350932.tif 000007